(57)【要約】【課題】収納時における破損の防止や安全性の向上を図ったスクリーン装置を提供する。【解決手段】スクリーン装置１は、画像が投影されるスクリーン本体２と、スクリーン本体２の対向する一対の端部をそれぞれ保持する第１保持部３および巻取り軸４１と、スクリーン本体２の投影面の反対側となる背面側に配置され、第１保持部３を支持して、第１保持部３と巻取り軸４１とが対向する方向に沿って伸縮する連結機構６と、一対の端部と交差するスクリーン本体２の側端部から背面側に突出する側面シート７と、スクリーン本体２および側面シート７を巻き取る巻取り機構４と、を備える。【選択図】図１
2013020057.tif 000002
【特許請求の範囲】
【請求項１】
画像が投影されるスクリーン本体と、
前記スクリーン本体の対向する一対の端部をそれぞれ保持する第１保持部および第２保持部と、
前記スクリーン本体の投影面の反対側となる背面側に配置され、前記第１保持部を支持して、前記第１保持部と前記第２保持部とが対向する方向に沿って伸縮する連結機構と、
前記一対の端部と交差する前記スクリーン本体の側端部から前記背面側に突出する側面シートと、
前記スクリーン本体および前記側面シートを巻き取る巻取り機構と、
を備えることを特徴とするスクリーン装置。
【請求項２】
請求項１に記載のスクリーン装置であって、
前記巻取り機構は、前記投影面に沿う中心軸を中心に前記スクリーン本体および前記側面シートを巻き取るように構成されていることを特徴とするスクリーン装置。
【請求項３】
請求項１または請求項２に記載のスクリーン装置であって、
前記巻取り機構は、前記第２保持部を有し、
前記第２保持部は、前記スクリーン本体および前記側面シートを巻き取るように構成されていることを特徴とするスクリーン装置。
【請求項４】
請求項１〜請求項３のいずれか一項に記載のスクリーン装置であって、
前記側面シートに当接して前記側面シートを前記巻取り機構に案内する案内部を備えることを特徴とするスクリーン装置。
【請求項５】
請求項１〜請求項４のいずれか一項に記載のスクリーン装置であって、
前記第１保持部に一端が保持され、前記連結機構を介して前記スクリーン本体に対向して配置される保護シートを備え、
前記巻取り機構は、前記保護シートを巻き取るように構成されていることを特徴とするスクリーン装置。
【請求項６】
請求項５に記載のスクリーン装置であって、
前記巻取り機構は、前記投影面に沿う中心軸を中心に前記スクリーン本体、前記側面シート、および前記保護シートを巻き取るように構成されていることを特徴とするスクリーン装置。
【請求項７】
請求項５または請求項６に記載のスクリーン装置であって、
前記巻取り機構は、前記スクリーン本体あるいは前記保護シートのいずれか一方と、前記側面シートとを巻き取る共通の巻取り軸を備えることを特徴とするスクリーン装置。
【請求項８】
請求項７に記載のスクリーン装置であって、
前記側面シートは、前記巻取り軸に巻き取られる前記スクリーン本体あるいは前記保護シートと一体的に形成されていることを特徴とするスクリーン装置。
【発明の詳細な説明】
【技術分野】
【０００１】
本発明は、スクリーン装置に関する。
【背景技術】
【０００２】
従来、シート状のスクリーン本体を備え、プロジェクター等から射出された光を投影するスクリーン装置が知られている。そして、可搬性の向上や、使用しない際のコンパクトな収納等のために、スクリーン本体を展張する状態と収納する状態とが可能となる機構を備えたスクリーン装置が提案されている（例えば、特許文献１参照）。
【０００３】
特許文献１に記載のスクリーン装置（可搬式スクリーン）は、下部ケーシングと、取り付け部材を介して下部ケーシングに取りつけられたスプリングロールと、トップバーとスプリングロールの間に展張されたスクリーンと、スクリーンを伸縮するパンタグラフ式伸縮手段と、を備えている。そして、伸縮手段は、複数のアームを有して構成されている。
そして、特許文献１に記載のスクリーン装置は、トップバーが上下されることで伸縮手段が屈伸する。そして、伸縮手段の各アームは、スクリーン本体が展張された状態では、起立した状態となり、スクリーン本体が収納される状態では、折り畳まれた状態となる。
【先行技術文献】
【特許文献】
【０００４】
【特許文献１】特開２０００−１３１７６６号公報
【発明の概要】
【発明が解決しようとする課題】
【０００５】
しかしながら、特許文献１に記載のスクリーン装置は、スクリーン本体を収納する際に、折り畳まれる伸縮手段のアームがスクリーン装置の外部の部材を挟んで破損する恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るスクリーン装置は、画像が投影されるスクリーン本体と、前記スクリーン本体の対向する一対の端部をそれぞれ保持する第１保持部および第２保持部と、前記スクリーン本体の投影面の反対側となる背面側に配置され、前記第１保持部を支持して、前記第１保持部と前記第２保持部とが対向する方向に沿って伸縮する連結機構と、前記一対の端部と交差する前記スクリーン本体の側端部から前記背面側に突出する側面シートと、前記スクリーン本体および前記側面シートを巻き取る巻取り機構と、を備えることを特徴とする。
【０００８】
この構成によれば、スクリーン本体の背面側には、連結機構が配置され、連結機構は、第１保持部を支持し、第１保持部と第２保持部とが対向する方向に沿って伸縮するように構成されている。これによって、スクリーン装置は、連結機構が伸長された際には、スクリーン本体が展張されて画像の投影が可能となり、連結機構が縮められた際には、スクリーン本体の収納が可能となる。
【０００９】
また、スクリーン装置には、スクリーン本体の側端部から背面側に突出する側面シートが設けられている。これによって、スクリーン本体の側方から見て、連結機構が露出することを防止することが可能となる。よって、連結機構として複数の部材が屈伸可能に連結されたリンク式の機構等が採用された場合であっても、スクリーン本体を収納する際に、折り畳まれる連結機構の部材の間に、外部の部材や操作者の指等が挟まれることを防止することが可能となる。
さらに、スクリーン装置には、スクリーン本体および側面シートを巻き取る巻取り機構が備えられているので、スクリーン本体および側面シートをコンパクトに収納することが可能となる。
【００１０】
したがって、スクリーン本体が収納される際の破損の防止や安全性の向上を図りつつ、画像の投影が可能な展張状態、およびコンパクトな収納状態を有するスクリーン装置の提供が可能となる。
【００１１】
［適用例２］上記適用例に係るスクリーン装置において、前記巻取り機構は、前記投影面に沿う中心軸を中心に前記スクリーン本体および前記側面シートを巻き取るように構成されていることが好ましい。
【００１２】
この構成によれば、スクリーン本体および側面シートは、投影面に沿う中心軸を中心に巻き取られる。これによって、投影面に直交する方向の大型化の抑制や、巻取り機構の簡素化を図って側面シートを備えるスクリーン装置の提供が可能となる。
【００１３】
［適用例３］上記適用例に係るスクリーン装置において、前記巻取り機構は、前記第２保持部を有し、前記第２保持部は、前記スクリーン本体および前記側面シートを巻き取るように構成されていることが好ましい。
【００１４】
この構成によれば、スクリーン本体および側面シートは、スクリーン本体の一方の端部を保持する第２保持部に巻き取られるように構成されている。これによって、側面シートを個別に巻き取る機構を設ける必要がないので、大型化を抑制して、側面シートを備えるスクリーン装置の提供が可能となる。
【００１５】
［適用例４］上記適用例に係るスクリーン装置において、前記側面シートに当接して前記側面シートを前記巻取り機構に案内する案内部を備えることが好ましい。
【００１６】
この構成によれば、側面シートが展張されている状態から異なる方向を向くように巻き取られる構成であっても、案内部が側面シートに当接し、側面シートが歪んだり、皺になったりすることが抑制される。よって、側面シートの整然とした巻取り、および巻き取られた側面シートを滑らかに展張させることが可能となる。
【００１７】
［適用例５］上記適用例に係るスクリーン装置において、前記第１保持部に一端が保持され、前記連結機構を介して前記スクリーン本体に対向して配置される保護シートを備え、前記巻取り機構は、前記保護シートを巻き取るように構成されていることが好ましい。
【００１８】
この構成によれば、スクリーン装置は、側面シートに加え、保護シートを備えているので、スクリーン本体の側方に加え、スクリーン本体の背面側から見て、連結機構が露出することを防止することが可能となる。これによって、スクリーン本体が収納される際の外部の部材や操作者の指等が挟まれることをさらに防止することが可能となる。よって、破損の防止や安全性の向上をさらに図りつつ、展張状態およびコンパクトな収納状態を有するスクリーン装置の提供が可能となる。
【００１９】
［適用例６］上記適用例に係るスクリーン装置において、前記巻取り機構は、前記投影面に沿う中心軸を中心に前記スクリーン本体、前記側面シート、および前記保護シートを巻き取るように構成されていることが好ましい。
【００２０】
この構成によれば、スクリーン本体、側面シート、および保護シートは、投影面に沿う中心軸を中心に巻き取られるように構成されている。これによって、投影面に直交する方向の大型化の抑制や、巻取り機構の簡素化を図って、側面シートおよび保護シートを備えたスクリーン装置の提供が可能となる。
【００２１】
［適用例７］上記適用例に係るスクリーン装置において、前記巻取り機構は、前記スクリーン本体あるいは前記保護シートのいずれか一方と、前記側面シートとを巻き取る共通の巻取り軸を備えることが好ましい。
【００２２】
この構成によれば、スクリーン本体、保護シートおよび側面シートの３種類の部材のうち、２種類の部材を１つの巻取り軸で巻き取ることができるので、さらに大型化を抑制しつつ、側面シートおよび保護シートを備えたスクリーン装置の提供が可能となる。
【００２３】
［適用例８］上記適用例に係るスクリーン装置において、前記側面シートは、前記巻取り軸に巻き取られる前記スクリーン本体あるいは前記保護シートと一体的に形成されていることが好ましい。
【００２４】
ここで、一体的とは、側面シートと、スクリーン本体あるいは保護シートとが同一の材料で形成された状態や、２つの部材が溶着等で結合された状態のことをいう。
この構成によれば、側面シートは、巻取り軸に巻き取られるスクリーン本体あるいは保護シートと一体的に形成されているので、スクリーン装置の組立作業の簡素化や、スクリーン本体、保護シートおよび側面シートに皺等が発生することを抑制してより整然と巻き取ることが可能となる。
【図面の簡単な説明】
【００２５】
【図１】第１実施形態の展張状態におけるスクリーン装置を示す模式図。
【図２】第１実施形態におけるスクリーン装置の左上の角部を模式的に示す斜視図。
【図３】第１実施形態における案内部近傍のスクリーン本体、側面シートおよび巻取り軸を模式的に示す斜視図。
【図４】第１実施形態の収納状態におけるスクリーン装置を示す模式図。
【図５】第２実施形態の展張状態におけるスクリーン装置を示す模式図。
【図６】第２実施形態におけるスクリーン装置の左上の角部を模式的に示す斜視図。
【図７】第２実施形態における案内部近傍の側面シート、保護シートおよび巻取り軸を模式的に示す斜視図。
【発明を実施するための形態】
【００２６】
（第１実施形態）
以下、第１実施形態に係るスクリーン装置について、図面を参照して説明する。
本実施形態のスクリーン装置は、プロジェクター等から投写された光が投影されるスクリーン本体を備え、床等の設置面に設置される。そして、本実施形態のスクリーン装置は、スクリーン本体が展張されて画像が投影可能な展張状態、およびスクリーン本体が巻き取られて収納される収納状態が可能に構成されている。
【００２７】
図１は、本実施形態の展張状態におけるスクリーン装置１を示す模式図である。具体的に、図１（ａ）は、スクリーン本体２の投影面２Ａ（図２参照）の反対側からスクリーン装置１を見た平面図、図１（ｂ）は、スクリーン装置１の側面図である。なお、図１（ａ）は、後述するシート補助部５５の一部（支柱部５５１）を省略した図である。
【００２８】
スクリーン装置１は、図１に示すように、スクリーン本体２に加え、第１保持部３、巻取り機構４、ベース部５、連結機構６、および側面シート７を備えている。なお、以下では、説明の便宜上、スクリーン本体２の投影面２Ａ（図２参照）側を前方（＋Ｙ方向）、投影面２Ａの反対側を背面側、背面側から見て右側を右方（＋Ｘ方向）、スクリーン装置１が床等の設置面ＴＢ設置された状態の上側を上方（＋Ｚ方向）として記載する。
【００２９】
スクリーン本体２は、可撓性を有し、外形が略矩形のシート状に形成されている。スクリーン本体２は、前方から投写された光を投影面２Ａにて反射して画像を投影する反射型として構成されている。
【００３０】
図２は、スクリーン装置１の左上の角部を模式的に示す斜視図である。
第１保持部３は、図１に示すように、スクリーン本体２の上端に沿って延出し、スクリーン本体２の上端を保持する。第１保持部３は、断面視矩形形状を有する柱状に形成され、図２に示すように、スクリーン本体２の上端部は、第１保持部３の前面３Ａに接着剤等を介して固定される。
【００３１】
また、第１保持部３には、図１（ａ）に示すように、下方に突出し、連結機構６の後述するアーム部６１，６２が軸支される支持部３１、摺動支持部３２が設けられている。支持部３１は、第１保持部３の右側端部寄りに形成されている。摺動支持部３２は、第１保持部３の左側端部寄りに形成され、左右方向に摺動自在に構成されている。
【００３２】
巻取り機構４は、巻取り軸４１、軸受部４２、および図示しない巻取りバネを備え、展張された投影面２Ａに沿う中心軸を中心にスクリーン本体２および側面シート７を巻き取るように構成されている。
巻取り軸４１は、スクリーン本体２の上端、つまり第１保持部３に対向する下端を保持する第２保持部としての機能を有し、スクリーン本体２および側面シート７が巻き取られる。
巻取り軸４１は、詳細な図は省略するが、両端が開口するパイプ状に形成されている。巻取り軸４１は、スクリーン本体２の下端に沿って延出し、図１（ａ）に示すように、スクリーン本体２の右方および左方に突出する長さを有している。スクリーン本体２の下端部は、巻取り軸４１の外周面に粘着材等によって貼り付けられる。
【００３３】
軸受部４２は、詳細な図は省略するが、巻取り軸４１の両端の開口部にそれぞれ挿入されるように一対設けられ、巻取り軸４１の軸受として機能する。軸受部４２は、異なる直径の円柱形の軸部が積層された形状を有し、一方の端部側に形成された軸部（図示省略）が巻取り軸４１の開口部に挿入され、他方の端部側に形成された軸部４２１（図１（ｂ）参照）が後述する軸受保持部５２の挿通孔に挿入される。
【００３４】
軸部４２１は、図１（ｂ）に示すように、外周の一部が切り欠かれた断面視Ｄ字状に形成されている。また、軸受保持部５２の挿通孔は、Ｄ字状に形成されており、軸受部４２は、軸部４２１が軸受保持部５２の挿通孔に挿入されことで回転が規制される。そして、巻取り軸４１は、両端の開口部に挿入された軸受部４２に対して回転可能となる。
【００３５】
図示しない巻取りバネは、コイル状に形成され、巻取り軸４１の内部に配置されている。そして、巻取りバネは、一端が巻取り軸４１に係止され、他端が軸受部４２に係止され、第１保持部３と巻取り軸４１との間でスクリーン本体２に張力を付与するように構成されている。スクリーン本体２は、巻取りバネによって付与された張力によって、投影面２Ａが平坦となるように展張される。また、巻取りバネは、スクリーン本体２が収納される際に、第１保持部３が押し下げられることで、第１保持部３が巻取り機構４に近接するまで巻き取り可能な付勢力を有するように構成されている。
【００３６】
ベース部５は、スクリーン装置１全体を支持する部材であり、スクリーン装置１が設置された際に、下面が設置面ＴＢに当接する。
ベース部５は、図１（ａ）に示すように、ベース部本体５１、ベース部本体５１の上面から突出する軸受保持部５２、支持部５３、摺動支持部５４およびシート補助部５５を有している。
【００３７】
ベース部本体５１は、左右方向が巻取り軸４１より長い矩形板状に形成されている。
軸受保持部５２は、ベース部本体５１の上面から突出し、左右の軸受部４２の外側に設けられている。軸受保持部５２には、前述したように、Ｄ字状の挿通孔が形成されており、軸受部４２は、軸部４２１がこの挿通孔に挿入され、軸受保持部５２に保持される。
【００３８】
支持部５３、摺動支持部５４は、ベース部本体５１の上面から突出し、第１保持部３の支持部３１、摺動支持部３２に対応する位置に形成されている。支持部５３、摺動支持部５４には、連結機構６の後述するアーム部６４，６３がそれぞれ軸支される。摺動支持部５４は、摺動支持部３２と同様に、左右方向に摺動自在に構成されている。
【００３９】
シート補助部５５は、ベース部本体５１の上面から突出して形成されており、後述する側面シート７が捩れたり、皺が発生したりすることを抑制するために側面シート７を案内するように形成されている。シート補助部５５については、後で詳細に説明する。
【００４０】
連結機構６は、図１に示すように、スクリーン本体２の背面側に配置されている。
連結機構６は、図１（ａ）に示すように、屈伸可能に連結された複数のアーム部６１〜６４を有するパンタグラフ式で構成され、第１保持部３とベース部５とを連結する。
具体的に、連結機構６は、図１（ａ）に示すように、略Ｘ字状に連結される２組のアーム部６１，６２、およびアーム部６３，６４が上下方向に連結されて構成されている。そして、上側に位置するアーム部６１，６２は、上端部が第１保持部３の支持部３１、摺動支持部３２にそれぞれ軸支される。下側に位置するアーム部６３，６４は、下端部がベース部５の支持部５３、摺動支持部５４にそれぞれ軸支されている。
【００４１】
そして、連結機構６は、第１保持部３が昇降されることで、アーム部６１〜６４が屈伸し、第１保持部３と巻取り軸４１とが対向する方向に沿って伸縮する。
具体的に、連結機構６は、第１保持部３が昇降されると、摺動支持部３２，５４が左右方向に移動してアーム部６１〜６４が屈伸し、上下方向において伸縮する。第１保持部３に上端が保持されているスクリーン本体２は、連結機構６の伸縮状態に応じて、投影面２Ａの露出する量が変わる。
【００４２】
側面シート７は、スクリーン本体２の左右の端部にそれぞれ配置され、連結機構６の右方および左方を覆うように形成されている。
側面シート７は、伸縮可能なシート材（例えば、ゴム系の材料や、合成樹脂製の線材を織り込んだ布材や、不織布等）で形成されている。
【００４３】
側面シート７は、上下方向が長い長尺形状から形成されており、図２に示すように、本体部７Ｂと本体部７Ｂの前側の端部から屈曲された屈曲部７Ａを有している。側面シート７は、屈曲部７Ａがスクリーン本体２に積層され、本体部７Ｂが連結機構６の側方を覆うように配置されている。屈曲部７Ａは、スクリーン本体２に接着剤等で固定され、本体部７Ｂは、上側の端部が第１保持部３に接着剤等で固定されている。つまり、左右の側面シート７は、第１保持部３に保持されたスクリーン本体２の上端と交差するスクリーン本体２の側端部から、本体部７Ｂがスクリーン本体２の背面側に突出するように形成されている。
【００４４】
そして、左右の側面シート７は、下端部が巻取り軸４１に保持され、スクリーン本体２と同様に、巻取りバネによって、第１保持部３と巻取り軸４１との間で張力が付与されている。そして、側面シート７は、スクリーン本体２と共に巻取り軸４１に巻き取られる。具体的に、側面シート７は、屈曲部７Ａがスクリーン本体２に積層して巻き取られ、本体部７Ｂが巻取り軸４１のスクリーン本体２の両側から突出する部位に巻き取られる。つまり、一対の本体部７Ｂは、スクリーン本体２の両側に、スクリーン本体２に積層されずに巻取り軸４１に巻き取られる。
【００４５】
シート補助部５５は、図１に示すように、巻取り軸４１の両端近傍にそれぞれ設けられ、前述したように、側面シート７を案内するように形成されている。
一対のシート補助部５５は、左右対称に形成されており、図１に示すように、ベース部本体５１の上面から突出する支柱部５５１、および支柱部５５１の先端に形成された案内部５５２を有している（図１（ａ）においては、支柱部５５１を省略）。
【００４６】
図３は、左側の案内部５５２近傍のスクリーン本体２、側面シート７および巻取り軸４１を模式的に示す斜視図である。
案内部５５２は、図３に示すように、前後方向（±Ｙ方向）に延出する円柱状に形成され、本体部７Ｂの外側の面（連結機構６が配置されている側の反対側の面）に当接するように形成されている。
【００４７】
本体部７Ｂは、案内部５５２の上方では、連結機構６の側方を覆うように展張され、案内部５５２の下方では、巻取り軸４１に巻き取られるよう方向が変更される。
このように、案内部５５２は、第１保持部３と巻取り軸４１との間で張力が付与された側面シート７に当接し、巻き取られる側面シート７の方向を変更して巻取り軸４１に案内する。
【００４８】
ここで、スクリーン装置１の動作について説明する。
スクリーン装置１は、第１保持部３が昇降された位置に応じて連結機構６が伸縮し、巻取り軸４１に巻き取られているスクリーン本体２および側面シート７の引き出される量が変更される。連結機構６は、第１保持部３が昇降される力が開放されると、第１保持部３と巻取り軸４１との間に付与された張力に抗して伸縮された状態を維持する。
【００４９】
そして、第１保持部３が所定の位置まで引き上げられると、図１に示すように、スクリーン本体２は、画像が投影可能な展張状態となる。そして、一対の側面シート７は、スクリーン装置１の右方および左方から見て、連結機構６を覆うように展張される。
【００５０】
一方、スクリーン装置１は、展張状態から第１保持部３が下げられると、連結機構６が上下方向において短くなり、スクリーン本体２および側面シート７が巻取り軸４１に巻き取られる。
具体的に、連結機構６は、展張状態から第１保持部３が下げられると、上下の摺動支持部３２，５４が左方（−Ｘ方向）に摺動し、アーム部６１〜６４が折り畳められる。スクリーン本体２は、投影面２Ａが内側となるように、巻取り軸４１に巻き取られる。側面シート７は、図３に示すように、案内部５５２によって案内され、展張状態における外側の面が内側となるように、巻取り軸４１に巻き取られる。
【００５１】
図４は、収納状態におけるスクリーン装置１を示す模式図である。具体的に、図４（ａ）は、背面側からスクリーン装置１を見た平面図、図４（ｂ）は、スクリーン装置１の側面図である。なお、図４（ａ）は、図１（ａ）と同様に、シート補助部５５の支柱部５５１を省略した図である。
【００５２】
第１保持部３が所定の位置まで下げられると、図４に示すように、スクリーン本体２および側面シート７は、収納状態となる。この収納状態において、図４（ａ）に示すように、折り畳まれているアーム部６１〜６４の左側端部は、スクリーン本体２の左側端部に近づく状態となるが、側面シート７によって覆われた状態が維持される。
【００５３】
このように、スクリーン装置１は、第１保持部３が昇降されることによって連結機構６が伸縮し、スクリーン本体２および側面シート７は、巻取り軸４１からの引出し、巻取りが行われる。そして、側面シート７は、連結機構６の側方を覆う状態を維持する。
【００５４】
以上説明したように、本実施形態のスクリーン装置１によれば、以下の効果を得ることができる。
（１）スクリーン本体２の側端部から背面側に突出する一対の側面シート７が設けられているので、スクリーン本体２の側方から見て、連結機構６が露出することを防止することが可能となる。よって、スクリーン本体２を収納する際に、折り畳まれる連結機構６の部材の間に、外部の部材や操作者の指等が挟まれることを防止することが可能となる。したがって、スクリーン本体２が収納される際の破損の防止や安全性の向上を図りつつ、画像の投影が可能な展張状態、およびコンパクトな収納状態を有するスクリーン装置１の提供が可能となる。
【００５５】
（２）巻取り機構４は、投影面２Ａに沿う中心軸を中心にスクリーン本体２および側面シート７を巻き取るように構成されている。これによって、投影面２Ａに直交する方向の大型化の抑制や、巻取り機構４の簡素化を図って側面シート７を備えるスクリーン装置１の提供が可能となる。
【００５６】
（３）スクリーン本体２および側面シート７は、スクリーン本体２の一方の端部を保持する巻取り軸４１に巻き取られる。これによって、側面シート７を個別に巻き取る機構を設ける必要がないので、大型化を抑制して、側面シート７を備えるスクリーン装置１の提供が可能となる。
【００５７】
（４）スクリーン本体２と、側面シート７の本体部７Ｂとは、積層されずに巻取り軸４１に巻き取られる。これによって、本体部７Ｂがスクリーン本体２に積層されて巻き取られる構成に比べ、巻取り軸４１に巻き取られるスクリーン本体２および側面シート７の太さの不均一性を抑制することが可能となり、整然としたスクリーン本体２および側面シート７の巻取りが可能となる。
【００５８】
（５）案内部５５２は、第１保持部３と巻取り軸４１との間で張力が付与された側面シート７に当接し、巻き取られる側面シート７の方向を変更して巻取り軸４１に案内する。これによって、側面シート７が歪んだり、皺になったりすることが抑制される。よって、側面シート７の整然とした巻取り、および巻き取られた側面シート７を滑らかに展張させることが可能となる。
また、側面シート７は、伸縮可能な部材で形成されているので、巻取り軸４１に巻き取られる際に方向が変更されても、歪んだり、皺になったりすることがさらに抑制される。
【００５９】
（６）連結機構６の側方が覆われるので、アーム部６１〜６４等の部材が側方から見えにくくなり、スクリーン装置１のデザイン性の向上が図れる。
【００６０】
（第２実施形態）
次に、第２実施形態に係るスクリーン装置１０について、図面を参照して説明する。以下の説明では、第１実施形態のスクリーン装置１と同様の構造および同様の部材には、同一符号を付し、その詳細な説明は省略または簡略化する。
【００６１】
図５は、本実施形態の展張状態におけるスクリーン装置１０を示す模式図である。具体的に、図５（ａ）は、スクリーン本体２の背面側からスクリーン装置１０を見た平面図、図５（ｂ）は、スクリーン装置１０の側面図である。
【００６２】
本実施形態のスクリーン装置１０は、図５に示すように、第１実施形態のスクリーン装置１に備えられていない保護シート８、および第１実施形態の巻取り機構４と構成の異なる巻取り機構９を備えている。また、本実施形態のスクリーン装置１０は、第１実施形態のベース部５と形状の異なるベース部１５を備えている。また、第１実施形態の側面シート７は、スクリーン本体２と共に巻き取られるように構成されているが、本実施形態の側面シート１７は、保護シート８と共に巻き取られるように構成されている。
【００６３】
図６は、スクリーン装置１０の左上の角部を模式的に示す斜視図である。
保護シート８は、可撓性を有する材料でスクリーン本体２と同程度の大きさに形成され、図５、図６に示すように、連結機構６を介してスクリーン本体２に対向して配置される。保護シート８は、上端が第１保持部３に保持され、下端が後述する巻取り軸９２１に保持される。
【００６４】
側面シート１７は、上下方向が長い長尺形状から形成されており、図６に示すように、本体部１７Ａと本体部１７Ａの後側の端部から屈曲された屈曲部１７Ｂを有している。側面シート１７は、屈曲部１７Ｂが保護シート８に積層され、本体部１７Ａが連結機構６の側方を覆うように配置されている。屈曲部１７Ｂは、保護シート８に接着剤等で固定され、本体部１７Ａは、上側の端部が第１保持部３に接着剤等で固定されている。つまり、側面シート１７は、スクリーン本体２の側端部から本体部１７Ａがスクリーン本体２の背面側に突出するように形成されている。そして、左右の側面シート１７は、保護シート８と同様に、下端部が巻取り軸９２１に保持されている。
【００６５】
巻取り機構９は、図５に示すように、スクリーン本体２を巻き取る第１巻取り部９１、および保護シート８と側面シート１７とを巻き取る第２巻取り部９２を備えている。
第１巻取り部９１は、第１実施形態の巻取り機構４と同様に、軸受部９１１、巻取り軸、巻取りバネ（いずれも図示省略）を備え、ベース部１５の後述する軸受保持部１５２に支持される。
【００６６】
第１巻取り部９１の巻取り軸は、スクリーン本体２の下端を保持する第２保持部としての機能を有している。第１巻取り部９１の巻取り軸は、展張されたスクリーン本体２の前方に位置し、中心軸がＸ方向に沿うように配置される。そして、第１巻取り部９１の巻取り軸は、第１保持部３が押し下げられることで、巻取りバネの付勢力によって、図５（ｂ）の図面視における時計回りに回転して、スクリーン本体２を巻き取る。
【００６７】
第２巻取り部９２は、第１巻取り部９１と同様に、巻取り軸９２１、軸受部９２２、巻取りバネ（図示省略）を備え、ベース部１５の後述する軸受保持部１５３に支持される。
巻取り軸９２１は、展張された保護シート８の後方に位置し、中心軸がＸ方向に沿うように配置される。そして、巻取り軸９２１は、第１保持部３が押し下げられることで、巻取りバネの付勢力によって、図５（ｂ）の図面視における反時計回りに回転して、保護シート８および側面シート１７を巻き取る。
【００６８】
このように、第１巻取り部９１の巻取り軸、および第２巻取り部９２の巻取り軸９２１は、中心軸が投影面２Ａに沿うように配置され、スクリーン本体２、側面シート１７および保護シート８を巻き取る。そして、巻取り軸９２１は、側面シート１７および保護シート８を巻き取る共通の巻取り軸として構成される。また、第１巻取り部９１の巻取り軸と第２巻取り部９２の巻取り軸９２１とは、互いに反対方向に回転することによって、それぞれの部材を巻き取る。
【００６９】
ベース部１５は、図５に示すように、ベース部本体１５１、ベース部本体１５１の上面から突出する軸受保持部１５２，１５３、支持部５３、摺動支持部５４およびシート補助部１５５を有している。
軸受保持部１５２は、軸受部９１１を支持するように形成され、軸受保持部１５３は、軸受部９２２を支持するように形成されている。
【００７０】
シート補助部１５５は、図５に示すように、第１巻取り部９１の巻取り軸と巻取り軸９２１との間の、巻取り軸９２１両端近傍に一対設けられている。
一対のシート補助部１５５は、左右対称に形成されており、支柱部１５５１、および支柱部１５５１の先端に形成された案内部１５５２を有している（図５（ｂ）においては、支柱部１５５１を省略）。
【００７１】
図７は、左側の案内部１５５２近傍の側面シート１７、保護シート８および巻取り軸９２１を模式的に示す斜視図である。
案内部１５５２は、図７に示すように、前後方向（±Ｙ方向）に延出する円柱状に形成され、本体部１７Ａの内側の面（連結機構６が配置されている側の面）に当接するように形成されている。
【００７２】
本体部１７Ａは、案内部１５５２の上方では、連結機構６の側方を覆うように展張され、案内部１５５２の下方では、巻取り軸９２１に巻き取られるよう方向が変更される。そして、本体部１７Ａは、保護シート８に積層され、展張状態における外側の面が外側となるように巻取り軸９２１に巻き取られる。
このように、案内部１５５２は、第１保持部３と巻取り軸９２１との間で張力が付与された側面シート１７に当接し、巻き取られる側面シート１７の方向を変更して巻取り軸９２１に案内する。
【００７３】
そして、スクリーン装置１０は、第１保持部３が昇降されることによって連結機構６が伸縮し、スクリーン本体２は、第１巻取り部９１の巻取り軸からの引出し、巻取りが行われ、側面シート１７および保護シート８は、巻取り軸９２１からの引出し、巻取りが行われる。そして、側面シート１７および保護シート８は、連結機構６の側方および後方を覆う状態を維持する。
【００７４】
以上説明したように、本実施形態のスクリーン装置１０によれば、第１実施形態の効果に加え、以下の効果を得ることができる。
（１）スクリーン装置１０は、側面シート１７に加え、保護シート８を備えているので、スクリーン本体２の側方に加え、スクリーン本体２の背面側から見て、連結機構６が露出することを防止することが可能となる。これによって、折り畳まれる連結機構６の部材の間に外部の部材や操作者の指等が挟まれることをさらに防止することが可能となる。よって、スクリーン本体２が収納される際の破損の防止や安全性の向上をさらに図りつつ、展張状態およびコンパクトな収納状態を有するスクリーン装置１０の提供が可能となる。
【００７５】
（２）スクリーン本体２、側面シート１７、および保護シート８は、投影面２Ａに沿う中心軸を中心に巻き取られるように構成されている。これによって、投影面２Ａに直交する方向の大型化の抑制や、巻取り機構９の簡素化を図って、側面シート１７および保護シート８を備えたスクリーン装置１０の提供が可能となる。
【００７６】
（３）スクリーン本体２、側面シート１７、および保護シート８の３種類の部材を２つの巻取り軸（第１巻取り部９１の巻取り軸、第２巻取り部９２の巻取り軸９２１）で巻き取ることができるので、さらに大型化を抑制しつつ、側面シート１７および保護シート８を備えたスクリーン装置１０の提供が可能となる。
【００７７】
（４）側面シート１７の本体部１７Ａは、保護シート８に積層されて巻取り軸９２１に巻き取られるので、側面シート１７を巻き取るために巻取り軸９２１を長くする必要がなく、スクリーン装置１０の大型化を抑制することが可能となる。
【００７８】
なお、前記実施形態は、以下のように変更してもよい。
第１実施形態のスクリーン本体２および側面シート７を同じ材料で形成したり、２つの部材を溶着等で結合したりすることによって、スクリーン本体２と側面シート７とを一体的に形成してもよい。
同様に、第２実施形態の保護シート８および側面シート１７を同じ材料で形成したり、２つの部材を溶着等で結合したりすることによって、保護シート８と側面シート１７とを一体的に形成してもよい。
【００７９】
第１実施形態の側面シート７は、本体部７Ｂが巻取り軸４１のスクリーン本体２の両側から突出する部位に巻き取られるように構成されているが、本体部７Ｂとスクリーン本体２とが積層されて巻き取られるように構成してもよい。
【００８０】
第２実施形態の側面シート１７は、本体部１７Ａが保護シート８に積層されて巻き取られるように構成されているが、巻取り軸９２１を保護シート８の両側から突出する突出部を設け、本体部１７Ａをこの突出部に巻き取るように構成してもよい。
【００８１】
第２実施形態では、巻取り軸９２１が側面シート１７および保護シート８を巻き取る共通の巻取り軸として構成されているが、第１巻取り部９１の巻取り軸が側面シート１７およびスクリーン本体２を巻き取る共通の巻取り軸となるように構成してもよい。この場合、側面シート１７およびスクリーン本体２を同じ材料で形成したり、２つの部材を溶着等で結合したりすることによって、側面シート１７とスクリーン本体２とを一体的に形成してもよい。
【００８２】
第２実施形態の巻取り機構９は、第１巻取り部９１の巻取り軸と、第２巻取り部９２の巻取り軸９２１とが互いに反対方向に回転することによって、それぞれの部材を巻き取るように構成されているが、同一方向に回転することによって、それぞれの部材を巻き取るように構成してもよい。
【００８３】
第１実施形態の側面シート７は、屈曲部７Ａを有して形成されているが、屈曲部７Ａを削除した構成としてもよい。同様に、第２実施形態の側面シート１７は、屈曲部１７Ｂを有して形成されているが、屈曲部１７Ｂを削除した構成としてもよい。
【００８４】
第１実施形態の側面シート７は、スクリーン本体２と共に巻取り軸４１に巻き取られるように構成されているが、中心軸が投影面２Ａに沿い、巻取り軸４１と別体に形成された巻取り軸に巻き取られるように構成してもよい。
【００８５】
前記実施形態のスクリーン装置１，１０は、床等の設置面ＴＢに載置されるように構成されているが、ベース部５，１５を天井に設置する天吊り型にも適用できる。
【００８６】
側面シート７，１７および保護シート８の部材として、人の指が入らない大きさの孔を有するメッシュ状の部材を用いてもよい。
【００８７】
スクリーン装置１，１０にモーター等を備える電力による駆動装置を設け、この駆動装置が駆動されることによって連結機構６が伸縮するように構成してもよい。
【００８８】
前記実施形態のスクリーン装置１，１０は、巻取り機構４，９が露出するように構成されているが、巻取り機構４，９を囲むように形成された筐体を備えるように構成してもよい。
【符号の説明】
【００８９】
１，１０…スクリーン装置、２…スクリーン本体、２Ａ…投影面、３…第１保持部、４，９…巻取り機構、６…連結機構、７，１７…側面シート、８…保護シート、４１，９２１…巻取り軸、５５，１５５…シート補助部、９１…第１巻取り部、９２…第２巻取り部、５５２，１５５２…案内部。
【図１】
2013020057.tif 000003
【図２】
2013020057.tif 000004
【図３】
2013020057.tif 000005
【図４】
2013020057.tif 000006
【図５】
2013020057.tif 000007
【図６】
2013020057.tif 000008
【図７】
2013020057.tif 000009